(57)【要約】【課題】運転時及び非運転時に効率よく撮影、記録が可能なスマートドライブレコーダを提供することを課題とする。【解決手段】中央制御装置とＧＰＳユニットとジャイロメーターと加速度センサーユニットと撮影装置とを含むスマートドライブレコーダであって、前記中央制御装置は、少なくとも１個の処理チップと複数の回路ラインとを備え、これら回路ラインを通じてＧＰＳユニット、ジャイロメーター、加速度センサーユニット、撮影装置を前記処理チップと電気的に接続させ；前記回路ラインを通じて各々測位信号、方位信号、加速度信号を前記中央制御装置まで伝送させ；そして前記中央制御装置でこれら信号がデフォルト値を超えているかどうか、撮影装置を起動させているかどうかを判読して、異常発生時にのみ前記撮影装置をリアルタイムで起動して実況の録画記録を実現する。【選択図】図１
2017091517.tif 000002
【特許請求の範囲】
【請求項１】
少なくとも１個の処理チップとこれに対する電気的接続を行うための複数の回路ラインとを備えた中央制御装置と、
前記回路ラインを通じて前記中央制御装置の前記処理チップに電気的に接続され、測位信号を生成してその測位信号が前記中央制御装置に伝送されて判読されるＧＰＳユニットと、
前記回路ラインを通じて前記中央制御装置の前記処理チップに電気的に接続され、方位信号を生成してその方位信号が前記中央制御装置に伝送されて判読されるジャイロメーターと、
前記回路ラインを通じて前記中央制御装置の前記処理チップに電気的に接続され、加速度信号を生成してその加速度信号が前記中央制御装置に伝送されて判読される加速度センサーユニットと、
撮影受信ユニットとストレージユニットとを備え、前記回路ラインを通じて前記中央制御装置の前記処理チップに電気的に接続され、前記中央制御装置により起動の有無が制御される撮影装置と、
を含むことを特徴とするスマートドライブレコーダ（１）。
【請求項２】
前記ＧＰＳユニットは、測位チップであり、現在地及び移動軌跡を検出及び測位して前記測位信号を生成し、この測位信号を前記中央制御装置に伝送してその判読を行うことを特徴とする請求項１に記載のスマートドライブレコーダ。
【請求項３】
前記ジャイロメーターは、上下左右方向に過大な振れ角度が発生していないかどうかを検出して前記方位信号を生成し、この方位信号を前記中央制御装置に伝送してその判読を行うことを特徴とする請求項１に記載のスマートドライブレコーダ。
【請求項４】
前記加速度センサーユニットは、加速度センサーであり、瞬間加速度の変化を検出すると共に前記加速度信号を生成し、この加速度信号を前記中央制御装置に伝送してその判読を行うことを特徴とする請求項１に記載のスマートドライブレコーダ。
【請求項５】
前記撮影受信ユニットは、撮影カメラであり、前記ストレージユニットがハードディスク又はメモリカードであることを特徴とする請求項１に記載のスマートドライブレコーダ。
【発明の詳細な説明】
【技術分野】
【０００１】
本発明は、スマートドライブレコーダに関し、特に、各種環境及び走行要因が変動してデフォルト値を超えたことを検出すると、ドライブレコーダ中の撮影装置が起動されてリアルタイムの映像記録を行うスマートドライブレコーダに関する。
【背景技術】
【０００２】
交通事故の発生原因は、通常、運転者の運転操作ミスによるものである。したがって、車両を運転する時には、高度の集中力と反応力を保つ必要があり、突発事故が発生した時にこそ、リアルタイムで反応できて傷害が生じるのを回避する必要がある。
【０００３】
最もよく発生する事故状況は、先行車両の緊急ブレーキや、ウインカーを出さずに行なわれた突然の方向転換、近接車両の急な車線変更、或いは歩行者の交通ルールを無視した道路の横断、等々の事態によるもので、したがって車両が道路を走行している時は、前後左右の走行中の他の車両に注意を払うだけでなく、道路状況と交通信号の変化にも注意を払い、更には突発的な危険要因（例えば動物若しくは歩行者又は自転車の出現など）にも十分警戒しなければならない。
【０００４】
車両の走行過程においては、道路状況が常に変化し、運転者は実際的にはこれを確実に把握することはできず、ミスが生じるのを避けられない。一部の車両では、能動型安全運転支援システムを搭載し、これにより車間距離を検出し、距離が近づきすぎた時に警報を発して運転者に適切な距離を保ち又は急ブレーキで車両の衝突を避けるよう注意を促すようにすることが行われている。
【０００５】
また受動型安全装置としては、車両のドライブレコーダがあり、この装置は主に運転時の車両走行状況を記録し、後日交通事故があった時に、この記録を呼び出して閲覧することで事故を起こした原因と責任を明確にできることを目的としたものである。一般的なドライブレコーダの多くは、車両が起動した時にオンとなり、車両がエンジンを切った時にオフとなるように構成されており、運転中の走行状況は常時記録されるようになっているため、そのデータの記録には大容量のストレージを必要とし、ストレージの使用効率が悪いという問題がある。また、一部のドライブレコーダでは、運転者が車両エンジンを切って電源を切断した後、車両を離れて不在の期間中にその車両が他の車両から衝突を受けた場合に、ドライブレコーダが強制的にオンになって録画記録を行い、衝突した他の車両の外観及びナンバープレート等の証拠となるデータを記録し、これにより、事故を起こして逃走するような事態の発生を防止できるようになっている。しかしながら、その機能は、車両エンジンを切った後の記録だけで、運転者がオンにするのを忘れていた場合、運転中の事故発生という緊急事態下においてオンして録画影記録を行うことは困難なため、これらの従来のドライブレコーダの問題点は当業者が改良すべき最も重要な欠陥となっている。
【発明の概要】
【発明が解決しようとする課題】
【０００６】
そこで、上記従来技術の欠点を解決するため、本発明の主な目的は、運転時にも非運転時にも周辺の外部環境状況や運転者の運転時の走行状況が正常かどうかを検出し、異常な場合には、リアルタイムで撮影装置をオンにして録画記録を行い、記録データのストレージユニットを無駄なく効率良く使用できるスマートドライブレコーダを提供することである。
【課題を解決するための手段】
【０００７】
上記目的を達成するため、本発明は、中央制御装置と、ＧＰＳ( Global Positioning System、ＧＰＳ）ユニットと、ジャイロメーターと、加速度センサーユニットと、撮影装置と、を含むスマートドライブレコーダであることを特徴とする。
【０００８】
前記中央制御装置は、少なくとも１個の処理チップとこれに対する電気的接続を行うための複数の回路ラインとを備え；前記ＧＰＳユニットは、前記回路ラインを通じて前記中央制御装置の前記処理チップに電気的に接続され、測位信号を生成してその測位信号が前記中央制御装置に伝送されて判読され；前記ジャイロメーターは、前記回路ラインを通じて前記中央制御装置の処理チップに電気的に接続され、方位信号を生成してその方位信号が前記中央制御装置に伝送されて判読され；前記加速度センサーユニットは、前記回路ラインを通じて前記中央制御装置の処理チップに電気的に接続され、加速度信号を生成してその加速度信号が前記中央制御装置に伝送されて判読され；前記撮影装置は、撮影受信ユニットとストレージユニットとを備え、前記回路ラインを通じて前記中央制御装置の処理チップに電気的に接続され、前記中央制御装置により起動の有無が制御されることを特徴とする。
【０００９】
好適な実施例において、前記ＧＰＳユニットは、測位チップであり、現在地及び移動軌跡を検出及び測位して前記測位信号を生成し、この測位信号を前記中央制御装置に伝送してその判読を行うことを特徴とする。
【００１０】
好適な実施例において、前記ジャイロメーターは、上下左右方向に過大な振れ角度が発生していないかどうかを検出して前記方位信号を生成し、この方位信号を前記中央制御装置に伝送してその判読を行うことを特徴とする。
【００１１】
好適な実施例において、前記加速度センサーユニットは、加速度センサーであり、瞬間加速度の変化を検出すると共に前記加速度信号を生成し、この加速度信号を前記中央制御装置に伝送してその判読を行うことを特徴とする。
【００１２】
好適な実施例において、前記撮影受信ユニットは、撮影カメラであり、前記ストレージユニットがハードディスク又はメモリカードであることを特徴とする。
【発明の効果】
【００１３】
本発明は、上記構成を有することにより、走行経路がデフォルト案内ルートから逸脱していないかどうか、走行が安定していて振れないかどうか、加速度に異常がないかどうか、また非走行時において車体の異常な振動や異常な加速度が生じないか、を運転時にも非運転時にも検出でき、上記検出条件がデフォルト条件に適合せず、例えばデフォルト案内ルートから逸脱したり、異常な振れや加速度の異常が検知され、中央制御装置が異常と判断した場合には、直ちに撮影装置の起動の有無が制御され、撮影が開始されることで、事故現場のリアルタイム映像を記録して、後日事故を起こした原因及び責任者を明確にすることをサポートできると共に、記録データのストレージユニットを無駄なく効率良く使用できるものである。
【図面の簡単な説明】
【００１４】
【図１】本発明の実施例１に係るスマートドライブレコーダのブロック図である。
【図２】本発明の実施例２に係るスマートドライブレコーダを取り付けた車両の立体図である。
【図３】本発明の実施例３に係るスマートドライブレコーダを取り付けたバイクの立体図である。
【図４】本発明の実施例４に係るスマートドライブレコーダを取り付けた自転車の立体図である。
【発明を実施するための形態】
【００１５】
本発明の上記目的及びその構造及び機能上の特性を、添付図面の好ましい実施例によって説明する。
【実施例１】
【００１６】
図１を参照すると、図１は本発明の実施例１に係るスマートドライブレコーダのブロック図であり、図に示すようにこのスマートドライブレコーダ１は、中央制御装置１１と、ＧＰＳユニット１２と、ジャイロメーター１３と、加速度センサーユニット１４と、撮影装置１５とを含む。
【００１７】
中央制御装置１１は、少なくとも1個の処理チップ１１１及び複数の回路ライン１１２を備え、これら回路ライン１１２と処理チップ１１１が電気的に接続されている。中央制御装置１１は主にＧＰＳユニット１２、ジャイロメーター１３、加速度センサーユニット１４で検出した信号が所定のデフォルト値の範囲内にあるか否かを判断し、また撮影装置１５を制御して、これをリアルタイムで起動して録画を行い、或いは撮影装置１５が起動済みかどうかを確認、判断する。
【００１８】
前記ＧＰＳユニット１２は、回路ライン１１２を通じて中央制御装置１１の処理チップ１１１と電気的に接続され、測位信号１２１を生成してこれを中央制御装置１１に伝送し、これが所定のデフォルト値の範囲内にあるか否かを判読する。即ち、ＧＰＳ( Global Positioning System、ＧＰＳ）ユニット１２は測位チップであり、現在地及び移動軌跡を検出及び測位して測位信号１２１を生成し、これを中央制御装置１１に伝送してデフォルト案内ルートから逸脱していないかどうかを判読し、デフォルト案内ルートから逸脱していた場合、中央制御装置１１は撮影装置１５を直ちに起動させて録画記録を行い、或いは撮影装置１５が記録録画を行っているかどうかを確認、判断する。
【００１９】
ジャイロメーター１３は、回路ライン１１２を通じて中央制御装置１１の処理チップ１１１と電気的に接続され、方位信号１３１を生成してこれを中央制御装置１１に伝送し、これが所定のデフォルト値の範囲内にあるか否かの判読を行う。即ち、ジャイロメーター１３は上下左右方向に過大な振れ角度が発生していないかどうかを検出して方位信号１３１を生成し、これを中央制御装置１１に伝送して判読を行い、中央制御装置１１は角度振れが過大であると判読した場合、撮影装置１５を直ちに起動させて録画記録を行い、或いは撮影装置１５が記録録画を行っているかどうかを確認、判断する。
【００２０】
加速度センサーユニット１４は、回路ライン１１２を通じて中央制御装置１１の処理チップ１１１と電気的に接続され、加速度信号１４１を生成してこれを中央制御装置１１に伝送し、これが所定のデフォルト値の範囲内にあるか否かの判読を行う。即ち、加速度センサーユニット１４は加速度センサーであり、瞬間加速度の変化を検出すると共に加速度信号１４１を生成し、これを中央制御装置１１に伝送して判読を行い、前記加速度に異常（急激な増速又は急激な減速）が生じた時、中央制御装置１１は撮影装置１５を直ちに起動させて録画記録を行い、或いは撮影装置１５が記録録画を行っているかどうかを確認、判断する。
【００２１】
撮影装置１５は、撮影受信ユニット１５１とストレージユニット１５２とを備え、前記回路ラインを通じて中央制御装置１１の処理チップ１１１と電気的に接続される。この場合、撮影受信ユニット１５１は撮影カメラであり、ストレージユニット１５２がハードディスク又はメモリカードである。撮影装置１５は主に撮影受信ユニット１５１を通じて記録映像を撮影すると共にストレージユニット１５２に保存する。撮影装置１５は、主に走行映像をリアルタイムで記録するために用いられ、中央制御装置１１が録画中かどうかの確認を行い、或いは直ちに起動して録画する。
【００２２】
本発明は、主に走行経路がデフォルト案内ルートから逸脱していないかどうか及び走行が安定し、振れないかどうか、加速度に異常がないかどうかを検出し、上記検出条件がデフォルト条件に適合せず、例えばデフォルト案内ルートから逸脱したり、異常な振れや加速度異常などのいずれかの条件に該当した時は、中央制御装置１１が異常と判断し、直ちに撮影装置１５が起動されてリアルタイムで録画が行われているか否かを確認し、又は中央制御装置１１が直ちに撮影装置１５を起動して録画記録を行う。このようにして、事故現場のリアルタイム映像を記録して、後日事故を起こした原因及び責任者を明確にする作業をサポートする。上記各種信号がデフォルト値に戻った時は、撮影装置１５のオフ或いは録画記録の続行を選択できる。
【実施例２】
【００２３】
図２を参照すると、図２は本発明の実施例２に係るスマートドライブレコーダ１を取り付けた車両２の立体図であり、図に示すように、本実施例の一部構造は前記実施例１と同じであるため、ここではその説明を省略する。本実施例２と前記実施例１の相違点は、本実施例２がスマートドライブレコーダ１を車両２に設けて使用し、またスマートドライブレコーダ１により車両２の走行時の各種データ、例えば走行経路がデフォルト案内ルートから逸脱していないかどうか、走行が安定し振れないかどうか又は転倒していないかどうか及び加速度に異常がないかどうかを判断し、上記検出条件がデフォルト条件に適合せず、例えばデフォルト案内ルートから逸脱したり、異常な振れと加速度異常などのいずれかの条件に該当し、中央制御装置１１（図１）が異常と判断した時は、直ちに撮影装置１５（図１）が起動されて既に録画が行われているかを確認し、又は直ちに撮影装置１５を起動して録画記録を行うよう制御することで、事故現場のリアルタイム映像を記録して、後日事故を起こした原因及び責任者を明確にするようアシストすることである。
【実施例３】
【００２４】
図３を参照すると、図３は本発明の実施例２に係るスマートドライブレコーダ１を取り付けたバイク３の立体図であり、図に示すように、本実施例の一部構造は前記実施例１と同じであるため、ここではその説明を省略する。本実施例３と前記実施例１の相違点は、本実施例３がスマートドライブレコーダ１をバイク３に設けて使用し、またスマートドライブレコーダ１によりバイク３の走行時の各種データ、例えば走行経路がデフォルト案内ルートから逸脱していないかどうか、走行が安定し振れないかどうか又は転倒していないかどうか及び加速度に異常がないかどうかを判断し、上記検出条件がデフォルト条件に適合せず、例えばデフォルト案内ルートから逸脱したり、異常な振れと加速度異常などのいずれかの条件に該当し、中央制御装置１１（図１）が異常と判断した時は、直ちに撮影装置１５（図１）が起動されて既に録画が行われているかを確認し、又は直ちに撮影装置１５を起動して録画記録を行うよう制御することで、事故現場のリアルタイム映像を記録して、後日事故を起こした原因及び責任者を明確にするようアシストすることである。
【実施例４】
【００２５】
図４を参照すると、図４は本発明の実施例２に係るスマートドライブレコーダ１を取り付けた自転車４の立体図であり、図に示すように、本実施例の一部構造は前記実施例１と同じであるため、ここではその説明を省略する。本実施例４と前記実施例１の相違点は、本実施例４が前記スマートドライブレコーダ１を自転車４に設けて使用し、またスマートドライブレコーダ１により自転車４の走行時の各種データ、例えば走行経路がデフォルト案内ルートから逸脱していないかどうか、走行が安定し振れないかどうか又は転倒していないかどうか及び加速度に異常がないかどうかを判断し、上記検出条件がデフォルト条件に適合せず、例えばデフォルト案内ルートから逸脱したり、異常な振れと加速度異常などのいずれかの条件に該当し、中央制御装置１１（図１）が異常と判断した時は、直ちに撮影装置１５（図１）が起動されて既に録画が行われているかを確認し、又は直ちに撮影装置１５を起動して録画記録を行うよう制御することで、事故現場のリアルタイム映像を記録して、後日事故を起こした原因及び責任者を明確にするようアシストすることである。
【産業上の利用可能性】
【００２６】
本発明は上記の構成を有することにより、運転時にも非運転時にも周辺の外部環境状況や運転中の走行状況が正常かどうかを検出し、異常発生時にのみリアルタイムで撮影装置をオンにして録画記録を行うため、運転時及び非運転時における事故状況を撮影記録できると共に、記録データのストレージユニットを無駄なく効率良く使用できるスマートドライブレコーダを提供できるものである。
【符号の説明】
【００２７】
１      スマートドライブレコーダ
１１    中央制御装置
１１１  処理チップ    
１１２  回路ライン
１２    ＧＰＳユニット
１２１  測位信号
１３    ジャイロメーター
１３１  方位信号
１４    加速度センサーユニット
１４１  加速度信号
１５    撮影装置
１５１  撮影受信ユニット
１５２  ストレージユニット
２      車両
３      バイク
４      自転車
【図１】
2017091517.tif 000003
【図２】
2017091517.tif 000004
【図３】
2017091517.tif 000005
【図４】
2017091517.tif 000006